(57)【特許請求の範囲】
【請求項１】
光膜の周縁部を支持枠の外側に固着した構成のシェードであって、光膜と接する支持枠の先端部分を、アクリル樹脂からなる透光素材で内側部分に凹欠を有するようにほぼ等肉厚で形成し、該凹欠にコの字形の補強材を嵌合してなる構成を有するシェード。
【請求項２】
シェードの光膜周縁部に配設される支持枠であって、先端部分を、アクリル樹脂からなる透光素材で内側部分に凹欠を有するようにほぼ等肉厚で形成し、該凹欠にコの字形の補強材を嵌合してなる構成を有するシェードの支持枠。
【請求項３】
シェードの光膜周縁部に配設される支持枠であって、光膜縁部の固着部を有する支持枠本体部の先端に、アクリル樹脂からなる透光素材で内側部分に凹欠を有するようにほぼ等肉厚で形成してなる透光部を装着し、該凹欠にコの字形の補強材を嵌合した構成を有するシェードの支持枠。
【請求項４】
透光素材をスモーク素材としてなる請求項２又は３に記載のシェードの支持枠。
【発明の詳細な説明】
【０００１】
【発明の属する技術分野】
本発明は、天井その他の照明となるシェード及びその支持枠に関する。
【０００２】
【従来の技術】
天井に配設した光源の直接光を和らげるべく、光源をガラスクロス、プラスチックプレートなどの透光性の光膜で覆って光天井面としたシェード構造は広く使用されているが、従来のシェード構造は、光膜をアルミニウム枠体に支持させ、この枠体を躯体側の固定材に取り付けるものであった。
【０００３】
【発明が解決しようとする課題】
しかしながら、光膜をアルミニウム枠体に支持させることにより、光天井の透光部分と枠体によって遮光された部分との境界がくっきりした陰影となって光天井面に表れてしまい、枠体を光膜の背面側に見えないように設置してあるに係わらず、遮光部分の強い陰影が光天井の好ましい外観を損なわせるものとなっていた。
本発明は、上記問題点に着眼し、四角形などの囲い形に枠組みした枠体に光膜を支持させてなるシェードを並列させるなどして、光膜が並列した広い光天井を形成するにあたり、枠体によって生じる陰影むらの少ない光天井を実現せんとするものであり、そのためのシェード及び支持枠を提供せんとするものである。
【０００４】
【課題を解決するための手段】
上記課題を解決するために、本発明は、シェードを、光膜の周縁部を支持枠の外側に固着した構成であって、光膜と接する支持枠の少なくとも先端部分をスモークその他の透光素材で形成た構成を有するものとしたことを特徴とする。
また、本発明は、シェードの光膜周縁部に配設される支持枠を、透光方向となる少なくとも先端部分を透光素材で形成した構成を有するものとしたことも特徴とする。
支持枠は、また、光膜縁部の固着部を有する支持枠本体部の先端に透光素材で形成してなる透光部を装着した構成を有するものとすることもできる。
上記透光素材はスモーク素材とすることが好ましい。
【０００５】
【発明の実施の形態】
以下、本発明の一例としての実施の形態を図面によって説明する。
図１は本発明に係る天井用シェードの支持部分を示す断面図、図２はシェード支持枠と光膜を分解状態で示した断面図、図３はその結合状態の断面図である。
【０００６】
光膜１は、任意の透光素材でよいが、適度な強度と防炎性、軽量性を有したものとし、不透明乃至半透明で光天井として十分な透光性を有する素材とするのが好ましく、例えば、ガラスクロスを基布とし、シリコン樹脂をコーティングしてなる光膜などが用いられる。
【０００７】
支持枠２は、支持枠本体部３と透光部４を結合した構成としてある。支持枠本体３は、アルミニウム押出し型材など好ましくは金属材とし、光膜１の縁部を外側から巻き込んで固着するコの字状固着部３ａの上方に、躯体側への吊り下げ部となる突部３ｂを設け、固着部３ａの下方に透光部の接合面を有する先枠部３ｃを設け、固着部３ａのコの字内に嵌入して固定可能な固定子５を有して形成してある。
【０００８】
透光部４は、透光素材好ましくは不透明乃至半透明で透光性を有するスモーク素材とし、例えば、スモーク状のアクリル樹脂押出し型材とし、適度な長さの張出し部４ａを有し、後面に上記先枠部３ｃへの接合部４ｂを形成してある。
透光部４はまた、成形気泡が混入しないように、ほぼ等肉厚に中抜け成形するのが好ましく、かつ外側に沿って張設した光膜１の外圧で折れるなどの損傷が生じにくいように、内側部分を凹欠形成するとともに、ここに同一材質のコの字形補強材４ｃを嵌合させ、光源の光が均一的に透光しやすいように、表面を面一状の透光部とするのが好ましい。
透光部４と先枠部３ｃとは、図示のように、透光部の接合部４ｂに凸部を設け、先枠部の接合面に対応する凹溝を設けて凹凸嵌合させつつ、好ましくは接着剤を併用して、両者を結合するようにしてある。
【０００９】
前記固定子５は、光膜端を差込可能な溝部５ａを有し、ボルト頭乃至ナットの抱持部５ｂを設けた構成とし、抱持部５ｂに図１に示してあるようにボルト頭乃至ナットを抱持させ、固着部３ａのコの字部分を通してナット乃至ボルトを螺合することにより、固定子５を支持枠２に固定可能としてある。
【００１０】
図１において、符号６は天井などの躯体側に固定した吊り下げボルト、７はボルト６の下部にナットを用いて吊架した継手枠、８は継手枠７に端部をネジ止めして水平状態に架設した鍔付きシェード架設用フレームである。９はＶ型バネであって、下端部を支持枠２の突部３ｂに固着して上方に伸長配設し、シェード架設用フレーム８の鍔部に挿通し、鍔部にバネのＶ型交点部分を位置させ、上方にＶ形を拡開させることにより、支持枠２を吊架し固着するようにしてある。１０はシェード架設用フレーム８上に配設した遮光板である。
【００１１】
上記構成のシェードは、図２，３に示す如く、支持枠本体部３の先端（下端）に透光部４を固着して支持枠２を形成するとともに、支持枠２を囲い状に枠組み形成し、その枠体の先端面（下面）に光膜１を当てるとともに、光膜の縁部を透光部４の先端部から外側面に沿って折返し、縁辺を固定子５に係止させて、固定子を支持枠の固着部３ａに固着させることにより、形成することができる。
【００１２】
このシェードによれば、光源は支持枠２の枠体内上方に位置し、上方から光膜１を透光することになるが、支持枠２の先端部が透光部４となっているので、この下側付近の光膜にも光を透過させることができ、光膜の縁部（目地部）付近に濃い濃淡を生じさせないようにすることができる。
透光部４を不透光材とすると、支持枠がそのまま濃い陰影を形成させるので、任意の透光材で上記効果を発揮させることができる。しかし、透光部４を透明材とした場合は、光が乱反射しやすく、付近の光膜に光むらを生じさせるおそれがある。透光部４を不透明乃至半透明、特に好ましくはスモーク材とすることにより、乱反射の発生を防ぎ、陰影が生じにくい最も好ましいシェードを提供することができる。
【００１３】
【発明の効果】
上記のように本発明によれば、光膜が並列した広い光天井を形成するにあたり、枠体によって生じる陰影むらの少ない光天井を実現することができる。
そのための支持枠の構成は簡潔であり、成型、組立、取扱がいずれも便利である。支持枠を支持枠本体の先端部に透光部を接合した構成とすることりより、一層便利となる。透光部をスモーク素材とすることによりシェードの光膜面の光むらを最も少なくすることができる。
【図面の簡単な説明】
【図１】  本発明に係るシェードの支持部分を示す部分断面図である。
【図２】  シェードの支持枠と光膜とを分解して示した部分断面図である。
【図３】  図２のシェードを結合させた設置状態の部分断面図である。
【符号の説明】
１      光膜
２      支持枠
３      支持枠本体部
３ａ    固着部
３ｂ    突部
３ｃ    先枠部
４      透光部
４ａ    張出し部
４ｂ    接合部
４ｃ    補強材
５      固定子
５ａ    溝部
５ｂ    抱持部
６      吊り下げボルト
７      継手枠
８      シェード架設用フレーム
９      Ｖ型バネ
１０    遮光板
【図１】
0004369031.tif 000002
【図２】
0004369031.tif 000003
【図３】
0004369031.tif 000004